(57)【要約】【課題】包装用フイルムの製造工程の最終段階であるスリッタの一部において、包装用フイルムに、一定の深さで、切込みの加工を行うことが可能なフイルムの切込加工装置および切込加工方法、易開封性包装用フイルムならびに易開封性包装袋を提供する。【解決手段】フイルムの切込加工装置１００は、走行するフイルム２０を支持する支持ロール１２０と、支持ロール１２０上のフイルムに切込加工を施す切込加工手段２００と、切込加工手段２００が着脱可能に固定された加工ロール１１０と、を備え、スリッタ１０の一部に配設され、フイルム２０の長手方向または幅方向に連続してまたは所定間隔ごとに切込加工を施す。【選択図】図１
2008100303.tif 000002
【特許請求の範囲】
【請求項１】
走行するフイルムを支持する支持ロールと、
前記支持ロール上のフイルムに切込加工を施す切込加工手段と、
前記切込加工手段が着脱可能に固定された加工ロールと、を備え、
スリッタの一部に配設され、フイルムの長手方向または幅方向に連続してまたは所定間隔ごとに切込加工を施すことを特徴とする、
フイルムの切込加工装置。
【請求項２】
前記切込加工手段は、断面が略矩形状または略台形状の基部と、前記基部上に突設された刃先部と、からなる切込刃を有することを特徴とする、
請求項１に記載のフイルムの切込加工装置。
【請求項３】
前記切込加工手段は、前記切込刃が薄板体上に突設されてなることを特徴とする、
請求項２に記載のフイルムの切込加工装置。
【請求項４】
前記加工ロールは、外周部に、軸方向に形成される取付溝を備え、
前記切込加工手段は、幅方向の一端部に切込刃を有する薄板体であり、
前記切込刃が外部に突出するように前記取付溝内に収容されて固定されることを特徴とする、
請求項１に記載のフイルムの切込加工装置。
【請求項５】
前記加工ロールは、胴部と、前記胴部の両端部に設けられた前記胴部より大径の当接部と、からなり、前記当接部が前記支持ロールに当接するように配設されていることを特徴とする、
請求項１〜４のいずれか１項に記載のフイルムの切込加工装置。
【請求項６】
前記加工ロールを少なくとも２つ備え、
少なくとも１つの前記加工ロールを使用して、切込加工を施すことを特徴とする、
請求項１〜５に記載のフイルムの切込加工装置。
【請求項７】
フイルムの長手方向に所定間隔で切込加工を施すために、前記加工ロールの回転数を制御して前記切込加工の位置を調節する切込位置調節手段をさらに有することを特徴とする、
請求項１〜６のいずれか１項に記載のフイルムの切込加工装置。
【請求項８】
前記切込刃は、フイルムに連続した文字、図形または記号様の切込加工を施す刃先部形状を有することを特徴とする、
請求項１〜７のいずれか１項に記載のフイルムの切込加工装置。
【請求項９】
前記フイルムは、基材とシーラントの少なくとも２層が積層されてなる包装用フイルムであり、
前記包装用フイルムの最表層の基材の性能を失わない深さの易開封用の切込加工を施すことを特徴とする、
請求項１〜８のいずれか１項に記載のフイルムの切込加工装置。
【請求項１０】
前記包装用フイルムに形成される切込の深さは、最表層の基材の厚さの１／１０〜９／１０であることを特徴とする、
請求項９に記載のフイルムの切込加工装置。
【請求項１１】
請求項９または１０に記載のフイルムの切込加工装置により製造されてなることを特徴とする、
易開封性包装用フイルム。
【請求項１２】
前記易開封用切込は、実線、点線もしくは破線状、連続した文字、図形もしくは記号様または多数の点または線の集合からなる帯状であり、長手方向に連続して形成されてなることを特徴とする、
請求項１１に記載の易開封性包装用フイルム。
【請求項１３】
前記易開封用切込は、実線、点線もしくは破線状、連続した文字、図形もしくは記号様または多数の点または線の集合からなる帯状であり、幅方向に連続して長手方向に所定間隔ごとに形成されてなることを特徴とする、
請求項１１に記載の易開封性包装用フイルム。
【請求項１４】
前記易開封用切込は、実線、点線もしくは破線からなる矢羽形状であり、長手方向に連続して形成されてなり、
おにぎり、巻き寿司、いなり寿司またはサンドイッチの包装に用いられることを特徴とする、
請求項１１に記載の易開封性包装用フイルム。
【請求項１５】
前記易開封用切込は、実線、点線もしくは破線状であり、取除いて開口部を形成するための窓部を形成していることを特徴とする、
請求項１１に記載の易開封性包装用フイルム。
【請求項１６】
請求項１１〜１５の易開封性包装用フイルムを製袋してなることを特徴とする、
易開封性包装袋。
【請求項１７】
融着部以外の部分に易開封用切込が形成されていることを特徴とする、
請求項１６に記載の易開封性包装袋。
【請求項１８】
走行するフイルムを支持ロールで支持し、
加工ロール上に着脱可能に固定された切込加工手段により、前記支持ロール上のフイルムに切込加工を施すことにより、
スリットと同時に、フイルムの長手方向または幅方向に連続してまたは所定間隔ごとに切込加工を施すことを特徴とする、
フイルムの切込加工方法。
【請求項１９】
前記切込加工手段は、断面が略矩形状または略台形状の基部と、前記基部上に突設された刃先部と、からなる切込刃を有することを特徴とする、
請求項１８に記載のフイルムの切込加工方法。
【請求項２０】
前記切込加工手段は、前記切込刃が薄板体上に突設されてなることを特徴とする、
請求項１９に記載のフイルムの切込加工方法。
【請求項２１】
前記加工ロールは、外周部に、軸方向に形成される取付溝を備え、
前記切込加工手段は、幅方向の一端部に切込刃を有する薄板体であり、
前記切込刃が外部に突出するように前記取付溝内に収容されて固定されることを特徴とする、
請求項１８に記載のフイルムの切込加工方法。
【請求項２２】
前記加工ロールは、胴部と、前記胴部の両端部に設けられた前記胴部より大径の当接部と、からなり、前記当接部が前記支持ロールに当接するように配設されていることを特徴とする、
請求項１８〜２１のいずれか１項に記載のフイルムの切込加工方法。
【請求項２３】
前記加工ロールを少なくとも２つ備え、
少なくとも１つの前記加工ロールを使用して、切込加工を施すことを特徴とする、
請求項１８〜２２に記載のフイルムの切込加工方法。
【請求項２４】
フイルムの長手方向に所定間隔で切込加工を施すために、前記加工ロールの回転数を制御して前記切込加工の位置を調節することを特徴とする、
請求項１８〜２３のいずれか１項に記載のフイルムの切込加工方法。
【請求項２５】
前記切込刃は、フイルムに連続した文字、図形または記号様の切込加工を施す刃先部形状を有することを特徴とする、
請求項１８〜２４のいずれか１項に記載のフイルムの切込加工方法。
【請求項２６】
前記フイルムは、基材とシーラントの少なくとも２層が積層されてなる包装用フイルムであり、
前記包装用フイルムの最表層の基材の性能を失わない深さの易開封用の切込加工を施すことを特徴とする、
請求項１８〜２５のいずれか１項に記載のフイルムの切込加工方法。
【請求項２７】
前記包装用フイルムに形成される切込の深さは、最表層の基材の厚さの１／１０〜９／１０であることを特徴とする、
請求項２６に記載のフイルムの切込加工方法。
【発明の詳細な説明】
【技術分野】
【０００１】
本発明は、フイルムの切込加工装置および切込加工方法、易開封性包装用フイルムならびに易開封性包装袋に関する。
【背景技術】
【０００２】
従来、プラスチックフイルムやプラスチックラミネートフイルム等の包装用フイルムの端部を融着して作られる包装袋においては、包装袋を容易に引き裂いて開封するために、融着した端部にＩ型やＶ型のノッチを設けていることが多かった。
【０００３】
しかし、このようなＩ型のノッチは、視認することが難しく、包装袋をどこから引き裂けばよいのかを容易に判別することが難しいという問題があった。
【０００４】
また、このようなＶ型のノッチは、視認性を向上させているものの、加工の際に大量の切断片が生じ、包装製品に付着したり、作業環境を悪化させたりという問題があった。
【０００５】
このような問題に対して、従来、ノッチを設ける代わりに、包装袋に微細な傷を加工する易開封加工を施した包装用フイルムが提案されている（例えば、特許文献１または２参照）。
【特許文献１】特開昭５８−１６０２５１号公報
【特許文献２】特開平９−１５６６５１号公報
【発明の開示】
【発明が解決しようとする課題】
【０００６】
しかしながら、上記特許文献１に記載の易開封加工を施した包装用フイルムは、包装用フイルムの端部等に紙やすり等で微細な傷をつけるものであるため、傷の大きさや深さを制御することが難しいという問題があった。
【０００７】
このため、製袋や内容物の充填の際に簡単に破れてしまうものから、人の手では開封が困難なほど破れにくいものまで、その品質が一定せず、製袋や内容物の充填を行う食品メーカー等だけでなく、製袋された包装製品の需要者からも多くの不満の声が上がっていた。
【０００８】
また、傷の深さの制御が困難であることから、貫通孔が生じることを防ぐことができず、密封性を要する包装袋においては、融着端部以外に易開封加工をすることはできないという問題もあった。
【０００９】
これに対し、上記特許文献２に記載の易開封加工を施した包装用フイルムは、予め易開封加工を施した易開封加工専用の基材フイルムを、密封性を有する基材フイルムと共に積層することで、密封性を確保している。
【００１０】
しかし、このように易開封加工専用の基材フイルムを追加することは、包装用フイルムの製造コストを上げるだけでなく、包装用フイルムを不必要に厚くしてしまうという問題があった。
【００１１】
さらに、積層前の基材フイルムに易開封加工を施す工程を追加する必要がある上に、易開封加工を施す工程の後の工程で、易開封加工を起点にフイルムが破れるおそれがあるために加工速度を下げなくてはならず、製造効率が著しく悪化するという問題があった。
【００１２】
本発明は、斯かる実情に鑑み、包装用フイルムの製造工程の最終段階であるスリッタの一部において、包装用フイルムに、一定の深さで、易開封切込み等の切込みの加工を行うことが可能なフイルムの切込加工装置および切込加工方法、易開封性包装用フイルムならびに易開封性包装袋を提供しようとするものである。
【課題を解決するための手段】
【００１３】
（１）本発明は、走行するフイルムを支持する支持ロールと、前記支持ロール上のフイルムに切込加工を施す切込加工手段と、前記切込加工手段が着脱可能に固定された加工ロールと、を備え、スリッタの一部に配設され、フイルムの長手方向または幅方向に連続してまたは所定間隔ごとに切込加工を施すことを特徴とする、フイルムの切込加工装置である。
【００１４】
（２）本発明はまた、前記切込加工手段は、断面が略矩形状または略台形状の基部と、前記基部上に突設された刃先部と、からなる切込刃を有することを特徴とする、前記（１）に記載のフイルムの切込加工装置である。
【００１５】
（３）本発明はまた、前記切込加工手段は、前記切込刃が薄板体上に突設されてなることを特徴とする、前記（２）に記載のフイルムの切込加工装置である。
【００１６】
（４）本発明はまた、前記加工ロールは、外周部に、軸方向に形成される取付溝を備え、前記切込加工手段は、幅方向の一端部に切込刃を有する薄板体であり、前記切込刃が外部に突出するように前記取付溝内に収容されて固定されることを特徴とする、前記（１）に記載のフイルムの切込加工装置である。
【００１７】
（５）本発明はまた、前記加工ロールは、胴部と、前記胴部の両端部に設けられた前記胴部より大径の当接部と、からなり、前記当接部が前記支持ロールに当接するように配設されていることを特徴とする、前記（１）〜（４）のいずれか１つに記載のフイルムの切込加工装置である。
【００１８】
（６）本発明はまた、前記加工ロールを少なくとも２つ備え、少なくとも１つの前記加工ロールを使用して、切込加工を施すことを特徴とする、前記（１）〜（５）に記載のフイルムの切込加工装置である。
【００１９】
（７）本発明はまた、フイルムの長手方向に所定間隔で切込加工を施すために、前記加工ロールの回転数を制御して前記切込加工の位置を調節する切込位置調節手段をさらに有することを特徴とする、前記（１）〜（６）のいずれか１つに記載のフイルムの切込加工装置である。
【００２０】
（８）本発明はまた、前記切込刃は、フイルムに連続した文字、図形または記号様の切込加工を施す刃先部形状を有することを特徴とする、前記（１）〜（７）のいずれか１つに記載のフイルムの切込加工装置である。
【００２１】
（９）本発明はまた、前記フイルムは、基材とシーラントの少なくとも２層が積層されてなる包装用フイルムであり、前記包装用フイルムの最表層の基材の性能を失わない深さの易開封用の切込加工を施すことを特徴とする、前記（１）〜（８）のいずれか１つに記載のフイルムの切込加工装置である。
【００２２】
（１０）本発明はまた、前記包装用フイルムに形成される切込の深さは、最表層の基材の厚さの１／１０〜９／１０であることを特徴とする、前記（９）に記載のフイルムの切込加工装置である。
【００２３】
（１１）本発明はまた、前記（９）または（１０）に記載のフイルムの切込加工装置により製造されてなることを特徴とする、易開封性包装用フイルムである。
【００２４】
（１２）本発明はまた、前記易開封用切込は、実線、点線もしくは破線状、連続した文字、図形もしくは記号様または多数の点または線の集合からなる帯状であり、長手方向に連続して形成されてなることを特徴とする、前記（１１）に記載の易開封性包装用フイルムである。
【００２５】
（１３）本発明はまた、前記易開封用切込は、実線、点線もしくは破線状、連続した文字、図形もしくは記号様または多数の点または線の集合からなる帯状であり、幅方向に連続して長手方向に所定間隔ごとに形成されてなることを特徴とする、前記（１１）に記載の易開封性包装用フイルムである。
【００２６】
（１４）本発明はまた、前記易開封用切込は、実線、点線もしくは破線からなる矢羽形状であり、長手方向に連続して形成されてなり、おにぎり、巻き寿司、いなり寿司またはサンドイッチの包装に用いられることを特徴とする、前記（１１）に記載の易開封性包装用フイルムである。
【００２７】
（１５）本発明はまた、前記易開封用切込は、実線、点線もしくは破線状であり、取除いて開口部を形成するための窓部を形成していることを特徴とする、前記（１１）に記載の易開封性包装用フイルムである。
【００２８】
（１６）本発明はまた、前記（１１）〜（１５）の易開封性包装用フイルムを製袋してなることを特徴とする、易開封性包装袋である。
【００２９】
（１７）本発明はまた、融着部以外の部分に易開封用切込が形成されていることを特徴とする、前記（１６）に記載の易開封性包装袋である。
【００３０】
（１８）本発明はまた、走行するフイルムを支持ロールで支持し、加工ロール上に着脱可能に固定された切込加工手段により、前記支持ロール上のフイルムに切込加工を施すことにより、スリットと同時に、フイルムの長手方向または幅方向に連続してまたは所定間隔ごとに切込加工を施すことを特徴とする、フイルムの切込加工方法である。
【００３１】
（１９）本発明はまた、前記切込加工手段は、断面が略矩形状または略台形状の基部と、前記基部上に突設された刃先部と、からなる切込刃を有することを特徴とする、前記（１８）に記載のフイルムの切込加工方法である。
【００３２】
（２０）本発明はまた、前記切込加工手段は、前記切込刃が薄板体上に突設されてなることを特徴とする、前記（１９）に記載のフイルムの切込加工方法である。
【００３３】
（２１）本発明はまた、前記加工ロールは、外周部に、軸方向に形成される取付溝を備え、前記切込加工手段は、幅方向の一端部に切込刃を有する薄板体であり、前記切込刃が外部に突出するように前記取付溝内に収容されて固定されることを特徴とする、前記（１８）に記載のフイルムの切込加工方法である。
【００３４】
（２２）本発明はまた、前記加工ロールは、胴部と、前記胴部の両端部に設けられた前記胴部より大径の当接部と、からなり、前記当接部が前記支持ロールに当接するように配設されていることを特徴とする、前記（１８）〜（２１）のいずれか１つに記載のフイルムの切込加工方法である。
【００３５】
（２３）本発明はまた、前記加工ロールを少なくとも２つ備え、少なくとも１つの前記加工ロールを使用して、切込加工を施すことを特徴とする、前記（１８）〜（２２）に記載のフイルムの切込加工方法である。
【００３６】
（２４）本発明はまた、フイルムの長手方向に所定間隔で切込加工を施すために、前記加工ロールの回転数を制御して前記切込加工の位置を調節することを特徴とする、前記（１８）〜（２３）のいずれか１つに記載のフイルムの切込加工方法である。
【００３７】
（２５）本発明はまた、前記切込刃は、フイルムに連続した文字、図形または記号様の切込加工を施す刃先部形状を有することを特徴とする、前記（１８）〜（２４）のいずれか１つに記載のフイルムの切込加工方法である。
【００３８】
（２６）本発明はまた、前記フイルムは、基材とシーラントの少なくとも２層が積層されてなる包装用フイルムであり、前記包装用フイルムの最表層の基材の性能を失わない深さの易開封用の切込加工を施すことを特徴とする、前記（１８）〜（２５）のいずれか１つに記載のフイルムの切込加工方法である。
【００３９】
（２７）本発明はまた、前記包装用フイルムに形成される切込の深さは、最表層の基材の厚さの１／１０〜９／１０であることを特徴とする、前記（２６）に記載のフイルムの切込加工方法である。
【発明の効果】
【００４０】
本発明によれば、包装用フイルムの製造工程の最終段階であるスリッタの一部において、包装用フイルムに、一定の深さで、易開封切込み等の切込みの加工を行うことが可能という優れた効果を奏し得る。
【発明を実施するための最良の形態】
【００４１】
以下、本発明の実施の形態を添付図面を参照して説明する。
【実施例１】
【００４２】
図１（ａ）および（ｂ）は、本実施例１に係るフイルムの切込加工装置１００の全体を示す概略図である。
【００４３】
同図（ａ）に示されるように、フイルムの切込加工装置１００は、包装用フイルム２０を幅方向に分割するスリッタ１０の一部に配設される。
【００４４】
スリッタ１０は、ロール状に巻かれた包装用フイルム２０を払い出して、主モータ１６により駆動される各ロール１４に巻きつけて搬送させながら、複数の刃物１２で搬送方向に平行に連続的に切断し、所定の幅に分割された包装用フイルム２０を再びロール状に巻き取る装置である。
【００４５】
フイルムの切込加工装置１００は、刃物１２の上流側近傍に配設される加工ロール１１０と、加工ロール１１０と並列に相対する支持ロール１２０と、加工ロール１１０を指示ロール１２０に向けて押圧する押圧手段１３０と、加工ロール１１０および支持ロール１２０を駆動するサーボモータ１４０と、主モータ１６に接続される主モータ用エンコーダ１５０と、加工ロール１１０に接続される加工ロール用エンコーダ１６０と、サーボモータの回転数を制御するサーボモータコントローラ１８０を備えるコントローラ１７０と、加工ロール１１０および支持ロール１２０より上流側に配設されるマーク検出器１９０と、加工ロール１１０の外周面に配設され、切込刃２１０を有する切込み加工手段２００と、を有して構成される。
【００４６】
なお、本実施例１に係るフイルムの切込加工装置１００では、加工ロール１１０の数は１に限定されるものではない。
【００４７】
例えば、図１（ｂ）に示されるように、フイルムの切込加工装置１００は、１つの支持ロール１２０に対して、２つの加工ロール１１０を有していてもよい。このように２つ以上の加工ロール１１０を有する場合は、全ての加工ロール１１０を同時に使用して切込を加工してもよいし、一部の加工ロールだけを使用して切り込みを加工してもよい。
【００４８】
さらに、フイルムの切込加工装置１００は、加工ロール１１０と同数の押圧手段１３０を有していてもよいし、加工ロールの数よりも少ない数の押圧手段１３０を有していてもよい。
【００４９】
図２（ａ）および（ｂ）は、加工ロール１１０、支持ロール１２０および押圧手段１３０の周辺を示す正面図および側面図である。
【００５０】
同図に示されるように、加工ロール１１０は、円筒形状の胴部１１２と、胴部１１２の軸方向両端部に設けられる胴部１１２より大径の当接部１１４と、当接部１１４から両側に突出する軸部１１６と、を有して構成される。この加工ロール１１０は、軸部１１６が回転可能に接続される軸受箱１１８を介して、フレーム１０２に、図の上下方向に移動可能に配設される。
【００５１】
指示ロール１２０は円筒形状の胴部１２２と、胴部の両端に突出する軸部１２６と、を有して構成される。この支持ロール１２０は、加工ロール１１０と並列に、軸受１２８を介してフレーム１０２に回転可能に固定される。
【００５２】
加工ロール１１０および支持ロール１２０は、それぞれ歯車１１９および歯車１２９を介して接続されている。このため、サーボモータ１４０は加工ロール１１０を駆動すると共に、支持ロール１２０も駆動する。
【００５３】
押圧手段１３０は、フレーム１０２に固定されるナット１３２と、ナット１３２と螺合するスクリュ１３４と、スクリュ１３４の先端にコの字形のブラケット１３６を介して取り付けられるベアリング１３８と、を有して構成される。本実施例１に係る加工装置１００では、２つの押圧手段１３０が板状のブラケット１３９で接続されて、ベアリング１３８を加工ロール１１０に向けて、フレーム１０２に配設される。
【００５４】
そして、押圧手段１３０は、スクリュ１３４を回転させて、スクリュ１３４と共に先端のベアリング１３８を加工ロール１１０の当接部１１４に向けて押し出すことにより、加工ロール１１０の当接部１１４を、指示ロール１２０に向けて押圧する。押圧手段１３０により押圧された加工ロール１１０の当接部１１４は、支持ロール１２０の胴部１２２と接触して、支持ロール１２０の胴部１２２を押圧する。
【００５５】
加工ロール１１０の当接部１１４が支持ロール１２０の胴部１２２と接触しても、加工ロール１１０の胴部１１２は、当接部１１４よりも小径のため、支持ロール１２０の胴部１２２とは接触しない。すなわち、加工ロール１１０の胴部１１２と支持ロール１２０の胴部１２２の間には隙間が生じている。
【００５６】
この隙間における、加工ロール１１０の胴部１１２と支持ロール１２０の胴部１２２の間の距離は、加工ロール１１０の当接部１１４の外径と、加工ロール１１０の胴部１１２の外径との差によって決まる。
【００５７】
そして、２つの押圧手段１３０の押圧力をそれぞれ適宜に調節すれば、加工ロール１１０の胴部１１２と支持ロール１２０の胴部１２２の間の距離を、所定の距離に微調整することができる。すなわち、押圧手段１３０の押圧力により、加工ロール１１０と支持ロール１２０の接触部分を弾性変形させ、加工ロール１１０の胴部１１２と支持ロール１２０の胴部１２２の間の距離を所定の値に正確に設定することができる。
【００５８】
また、２つの押圧手段１３０の押圧力のバランスを調節することで、加工ロール１１０の胴部１１２と支持ロール１２０の胴部１２２の間の距離を、ロールの幅方向において正確に均等にすることができる。
【００５９】
また、押圧手段１３０のベアリング１３８は、加工ロール１１０の回転と共に回転するため、押圧手段１３０は、加工ロール１１０の回転を妨げることなく、加工ロール１１０の当接部１１４を押圧することができる。また、このベアリング１３８の幅は、加工ロール１１０の当接部１１４の幅と略同一であるため、押圧手段１３０は、加工ロール１１０の当接部１１４を、当接部１１４の幅方向に均等に押圧する。
【００６０】
切込み加工手段２００は、切込刃２１０を外側に向けて、加工ロール１１０の胴部１１２の外周面に、マグネットにより着脱可能に固定される。
【００６１】
なお、この切込み加工手段２００の固定方法は、マグネットに限定されるものではなく、例えば、ボルト、結束バンドまたは粘着テープ等による固定であってもよい。
【００６２】
包装用フイルム２０は、支持ロール１２０に巻きつきながら、この加工ロール１１０の胴部１１２と支持ロール１２０の胴部１２２の隙間を搬送される。
【００６３】
図３（ａ）〜（ｄ）は、切込み加工手段２００の加工ロール１１０への取り付け方の例を示す概略図である。
【００６４】
同図（ａ）に示されるように、加工ロール１１０の胴部１１２の軸方向の全長にわたって、切込み加工手段２００を取り付けてもよいし、同図（ｂ）に示されるように、加工ロール１１０の胴部１１２の周方向の全集にわたって、切込み加工手段２００を取り付けてもよいし、同図（ｃ）に示されるように、加工ロール１１０の胴部１１２の軸方向から少し角度をつけた方向に切込み加工手段２００を取り付けてもよい。
【００６５】
なお、切込み加工手段２００の加工ロール１１０への取り付け方は、図３（ａ）〜（ｃ）に示す例に限定されることがないのは言うまでもなく、求められる切込みの形状や方向に応じた取り付け方をすることができる。
【００６６】
また、同図（ｄ）に示されるように、加工ロール１１０の胴部１１２の外周面に、軸方向に連続する取付溝１１２Ａを形成して、幅方向の一端部に設けた切込刃２１０を外側に向けた薄板状の切込加工手段２００を、取付溝１１２Ａ内に収容して、ボルトおよびライナー等で固定するようにしてもよい。この場合の固定方法も、ボルトおよびライナーに限定されるものではなく、例えば、取付溝１１２Ａと切込加工手段２００との隙間に楔等を打ち込んで固定してもよいし、マグネットにより固定してもよい。
【００６７】
図４（ａ）および（ｂ）は、切込み加工手段２００の一部を拡大した例を示す、断面図および平面図である。
【００６８】
同図に示されるように、切込刃２１０は、切込み加工手段２００の板部２０２の表面から突出する断面が略台形状の基部２１２と、基部２１２の頂上面２１２Ａから突出し、鋭利な先端を有する刃物状の刃先部２１４からなる。
【００６９】
本実施例１に係るフイルムの切込加工装置１００は、この刃先部２１４を包装用フイルム２０の表面に押し込むことで、切込みを加工する。このため、刃先部２１４の配列が包装用フイルムの表面に切込みとして転写されることとなる。例えば、図４に示す配列の刃先部２１４を用いて切込み加工を行った場合、包装用フイルム２０の表面にはミシン目状の切込みが形成される。
【００７０】
なお、基部２１２の形状は、図４（ａ）および（ｂ）に示す形状に限定されるものではなく、板部２０２から突出して、刃先部２１４を形成することが可能な平面または曲面状の頂上面２１２Ａを有するものであればよい。例えば、断面形状が、角部に丸みや面取りをつけた台形状であってもよいし、半円形状のものであってもよい。また、図４（ｂ）に示すように、短い刃先部２１４ごとに基部２１２を分割して設けてもよいし、１つの長い基部２１２の頂上面２１２Ａに複数の短い刃先部２１４を設けてもよい（図５（ｂ）参照）。
【００７１】
また、刃先部２１４の形状は、鋭利な先端を有する刃物状の形状に限定されるものではなく、包装用フイルム２０の表面に切込みまたは何らかの痕跡を残せるものであればよい。例えば、錐状の形状であってもよいし、先端に丸みをつけた刃物状の形状であってもよいし、板状や棒状の形状であってもよい。
【００７２】
図５（ａ）〜（ｆ）は、本実施例１に係るフイルムの切込加工装置１００において使用される切込み加工手段２００の切込刃２１０の形状の例を示すものである。
【００７３】
図５（ａ）〜（ｆ）のいずれにおいても、切込刃２１０は、切込み加工手段２００の板部２０２の表面から突出するように形成される基部２１２、および基部２１２の頂上面２１２Ａから突出するように形成される刃先部２１４から構成されている。
【００７４】
図５（ａ）は、長い直線状の刃先部２１４を有するものの例であり、直線状の切込みを加工するのに用いられる。
【００７５】
図５（ｂ）は、ミシン目状の刃先部２１４を有するものの例であり、ミシン目状の切込みを加工するのに用いられる。
【００７６】
図５（ｃ）は、連続する矢羽形状を構成するミシン目状の刃先部２１４を有するものの例であり、連続する矢羽形状を構成するミシン目状の切込みを加工するのに用いられる。
【００７７】
図５（ｄ）は、連続する鏡文字状の刃先部２１４を有するものの例であり、連続する文字状の切込みを加工するのに用いられる。
【００７８】
図５（ｅ）は、一定幅の帯状の範囲内に分布する多数の線状の刃先部２１４を有するものの例であり、一定幅の帯状の範囲内に分布する多数の線状の切込みを加工するのに用いられる。
【００７９】
図５（ｆ）は、環状に連続するミシン目状の刃先部２１４を有するものの例であり、環状に連続するミシン目状の切込みを加工するのに用いられる。
【００８０】
次に、本実施例１に係るフイルムの切込加工装置１００の作用を、図１を用いて説明する。
【００８１】
まず、スリッタ１０は、主モータ１６により駆動されながら一定速度で包装用フイルム２０を搬送する。
【００８２】
そして、フイルムの切込加工装置１００は、コントローラ１７０に含まれるサーボモータコントローラ１８０が、主モータ１６に接続された主モータ用エンコーダ１５０からの信号を受け、主モータ１６の回転数と同期するように、加工ロール１１０を駆動するサーボモータ１４０を制御する。すなわち、サーボモータコントローラ１８０は、例えば、主モータ１６の回転数がＶのとき、サーボモータ１４０の回転数がＶ＋αまたはＶ−αの一定の回転数となるように、サーボモータ１４０の回転を制御する。
【００８３】
また、コントローラ１７０は、マーク検出器１９０によって、包装用フイルム２０の表面に一定の間隔で印刷された位置決めマークの位置を検出する。そして、コントローラ１７０は、加工ロール用エンコーダ１６０によって、加工ロール１１０の胴部１１２の外周面に取り付けられた切込み加工手段２００の切込刃２１０の位置を検出し、切込刃２１０が支持ロール１２０上の包装用フイルム２０と、位置決めマークの位置から所定の距離だけ離れた位置で接触するように、サーボモータコントローラ１８０を介して、サーボモータ１４０の回転を制御する。
【００８４】
このようにして、加工ロール１１０の回転を制御することにより、所定の間隔で連続して、包装用フイルム２０の表面に切込刃２１０を接触させ押し込むことで、包装用フイルム２０の表面に切込みを加工する。
【００８５】
なお、加工ロール１１０の外径と包装用フイルム２０の搬送速度の関係により、包装用フイルム２０の搬送速度と切込刃２１０の周速度が異なる場合には、コントローラ１７０は、切込み加工時に包装用フイルム２０の搬送速度と切込刃２１０の周速度が等しくなるように、サーボモータコントローラ１８０を介して、サーボモータ１４０の回転を制御することができる。すなわち、コントローラ１７０は、切込み加工開始直前から切込み加工終了後の一定の間だけ、包装用フイルム２０の搬送速度と切込刃２１０の周速度が等しくなるように、加工ロール１１０の回転数を変化させる。こうすることによって、切込刃２１０の刃先部２１４を包装用フイルム２０に略垂直に押し込むことができ、切込刃２１０が包装用フイルム２０を引掻くようなことは防がれる。
【００８６】
図６（ａ）〜（ｄ）は、加工ロール１１０の胴部１１２の外周面に取り付けられた切込み加工手段２００の切込刃２１０が、包装用フイルム２０に切込みを加工する様子を模式的に示した概略図である。
【００８７】
切込み加工手段２００の切込刃２１０は、まず、加工ロール１１０の回転と共に、支持ロール１２０に巻きついて搬送される包装用フイルム２０に近づいていく（図６（ａ））。
【００８８】
そして、支持ロール１２０の頂上近傍で、刃先部２１４の先端が包装用フイルム２０の表面に接触し、加工ロール１１０の回転と共に、刃先部２１４の先端が包装用フイルム２０の内部に向けて押し込まれる（図６（ｂ））。これにより、包装用フイルム２０に切込みが加工される。
【００８９】
刃先部２１４は、支持ロール１２０の頂上において、包装用フイルム２０に最も深く押し込まれる（図６（ｃ））。このとき、基部２１２の頂上面２１２Ａは、包装用フイルム２０の表面と接触して、刃先部２１４が包装用フイルム内にそれ以上押し込まれることを抑止する。これによって、切込みの深さが一定に制御される。
【００９０】
支持ロール１２０の頂上を過ぎると、刃先部２１４は、加工ロール１１０の回転と共に、包装用フイルム２０から退避し（図６（ｄ））、包装用フイルム２０には、刃先部２１４の高さと同じ深さの切込みが残される。
【００９１】
以上のようにして、本実施例１に係るフイルムの切込加工装置１００は、包装用フイルム２０の所定の位置に切込みを加工する。
【００９２】
本実施例１に係るフイルムの切込加工装置１００では、包装用フイルム２０が巻きつく支持ロール１２０と切込みを加工する刃先部２１４以外のもので、包装用フイルム２０に接触するものは、基部２１２の頂上面２１２Ａのみである。
【００９３】
さらに、この頂上面２１２Ａは、切込刃２１０の刃先部２１４が切込みを加工する際のわずかの間しか包装用フイルム２０と接触しない。
【００９４】
このため、切込み加工前の包装用フイルム２０には、例えば、加工ロール１１０の回転力や、加工ロール１１０による押圧力等の不要な力が加えられることはない。
【００９５】
すなわち、切込み加工がされる前に、支持ロール１２０上で包装用フイルム２０の位置がずれてしまったり、包装用フイルム２０が伸びて変形してしまったりということがない。
【００９６】
よって、切込みが加工される位置が、当初狙った位置からずれてしまうようなことはなく、正確に狙った位置に切込みを加工することができる。
【００９７】
図７（ａ）および（ｂ）は、切込み加工手段２００の切込刃２１０の刃先部２１４が、包装用フイルム２０に最も深く押し込まれた状態（図６（ｃ）参照）を拡大した断面図である。
【００９８】
同図（ａ）において、Ａは、加工ロール１１０の胴部１１２と支持ロール１２０の胴部１２２の間の距離、Ｔは包装用フイルム２０の厚さ、Ｐは切込み加工手段２００の厚さ、Ｈは、基部２１２の高さ、Ｄは刃先部２１４の高さである。
【００９９】
同図（ａ）に示されるように、基部２１２の高さＨは、Ｈ＝Ａ−Ｔ−Ｐとなるように設定される。そして、刃先部２１４の高さＤは望まれる切込みの深さに設定される。
【０１００】
このように設定することで、刃先部２１４が最も深く押し込まれるときに、基部２１２の頂上面２１２Ａが包装用フイルム２０の表面と接触するため、刃先部２１４は、刃先部２１４の高さＤ以上に深く、包装用フイルム内に押し込まれることはない。
【０１０１】
すなわち、基部２１２が包装用フイルム２０の表面と接触することで、刃先部２１４が包装用フイルム２０内に押し込まれる深さが、物理的に決定されることとなる。
【０１０２】
これにより、例えば、切込み加工中に振動が発生してロールがたわみ、加工ロール１１０の胴部１１２と支持ロール１２０の胴部１２２の間の距離が狭まったとしても、刃先部２１４が包装用フイルム２０内に押し込まれる深さはＤに保たれる。
【０１０３】
また、支持ロール１２０に巻きついている包装用フイルム２０が、支持ロール１２０と密着しておらず、若干浮いているような場合には、基部２１２が、包装用フイルム２０を支持ロール１２０表面に押し付けた上で、刃先部２１４が包装用フイルム２０内に押し込まれることとなる。よって、この場合も、刃先部２１４が包装用フイルム２０内に押し込まれる深さはＤに保たれる。
【０１０４】
以上のように、切込刃２１０の基部２１２の高さＨおよび刃先部２１４の高さＤを設定することで、包装用フイルム２０に、深さＤの切込みを正確に加工することができる。
【０１０５】
特に、切込みの深さが十数μｍ程度となるような微細な切込み加工を行うことができる。
【０１０６】
また、場合によっては、基部２１２の高さＨをＨ>Ａ−Ｔ−Ｐとなるように設定することもできる。この場合は、同図（ｂ）に示されるように、基部２１２が包装用フイルム２０の表面を押圧しながら、刃先部２１４が包装用フイルム２０内に押し込まれることとなる。
【０１０７】
包装用フイルム２０の素材によっては、このように基部２１２で包装用フイルム２０を圧縮しながら、刃先部２１４を押し込むことによって、狙った深さの切込みを加工することができる。
【０１０８】
図８は、本実施例１に係るフイルムの切込加工装置１００によって、易開封切込み２２を加工された包装用フイルム２０の一例を示す断面図である。
【０１０９】
同図に示されるように、包装用フイルム２０は、一般的には、外層である基材２０Ａと内層であるシーラント２０Ｂが積層されたラミネートフイルムである。
【０１１０】
基材２０Ａは、強度、ガスバリア性または遮光性等の種々の機能を有するものである。
【０１１１】
この基材２０Ａの素材としては、例えば、延伸ナイロン、延伸ポリプロピレン、ポリエチレン、ポリエチレンテレフタレートまたはポリカーボネート等が挙げられる。
【０１１２】
シーラント２０Ｂは、融着性を有し、シーラント２０Ｂ同士を対向させて融着（ヒートシール）することで、袋を形成するためのものである。
【０１１３】
このシーラント２０Ｂの素材としては、無延伸ポリプロピレン、直鎖状低密度ポリエチレン、低密度ポリエチレン、高密度ポリエチレンまたはエチレン−酢酸ビニル共重合体等が挙げられる。
【０１１４】
なお、包装用フイルム２０は、必要に応じて、基材２０Ａとシーラント２０Ｂの間に、例えばアルミ箔やセラミック蒸着フイルム等が積層された３層、４層からなるラミネートフイルムとなることもある。
【０１１５】
図８に示されるような、厚さ２５μｍの基材２０Ａと厚さ２５μｍのシーラント２０Ｂを積層したラミネートフイルムである包装用フイルム２０に、開封を容易にするための易開封切込み２２を加工する場合、外層である基材２０Ａに切込み加工を施す必要がある。
【０１１６】
さらに、ガスバリア性等の基材２０Ａの性能を保つ必要がある場合には、基材２０Ａを貫通するような切込みを加工することはできない。このため、基材２０Ａの性能を保ちながらも、開封を容易とするためには、基材２０Ａの厚さの１／１０〜９／１０の深さの易開封切込み２２を加工することが好ましい。
【０１１７】
基材２０Ａの厚さの２／１０〜８／１０の深さの易開封切込み２２ならば、より好ましく、さらに、基材２０Ａの性能を確実に保ちながらも、開封を確実に容易とするためには、基材２０Ａの厚さの４／１０〜６／１０深さ（１０〜１５μｍ）の易開封切込み２２を加工するのが望ましい。
【０１１８】
このような場合であっても、包装用フイルム２０全体の厚さ（５０μｍ）に合わせて、基部２１２の高さを設定し、刃先部２１４の高さを、例えば、１２μｍとすれば、正確に１２μｍの深さの易開封切込み２２を基材２０Ａに加工することができる。
【０１１９】
さらに、基部２１２によって、狙った深さ以上に刃先部２１４が包装用フイルム２０内に押し込まれることを完全に抑止できるため、基材２０Ａを貫通するような切込みが加工されることはない。このため、基材２０Ａの性能を保ちながらも、開封の容易な包装用フイルム２０を製造することが可能となる。
【０１２０】
なお、基材２０Ａの求められる性能や素材によっては、易開封切込み２２の深さを基材２０Ａの厚さの１／１０〜９／１０にすることが望まれるが、このような場合でも、本実施例１に係るフイルムの切込加工装置１００によれば、正確に望まれる深さの易開封切込み２２を加工することができるのは言うまでもない。
【０１２１】
次に、本実施例１に係るフイルムの切込加工装置１００によって製造された、易開封切込み２２を有する包装用フイルム２０について説明する。
【０１２２】
図９（ａ）〜（ｆ）および図１０（ａ）〜（ｆ）は、本実施例１に係るフイルムの切込加工装置１００によって製造された、易開封切込み２２を有する包装用フイルム２０の例を示す平面図である。
【０１２３】
図９（ａ）〜（ｆ）および図１０（ａ）〜（ｆ）に示される包装用フイルム２０は、いずれも基材２０Ａおよびシーラント２０Ｂが積層されたラミネートフイルムであり、機材２０Ａに形成された易開封切込み２２は、いずれも基材２０Ａの性能を損わない深さ（基材２０Ａの厚さの約半分の深さ）の切込みである。
【０１２４】
本実施例１に係るフイルムの切込加工装置１００によれば、このように様々な易開封切込み２２を有する包装用フイルム２０を製造することができる。
【０１２５】
図９（ａ）に示されるのは、幅方向の一端部から他方の端部まで連続する直線状の易開封切込み２２を長手方向の一定間隔ごとに複数有する包装用フイルム２０である。
【０１２６】
図９（ｂ）に示されるのは、幅方向の一端部から他方の端部まで連続するミシン目状の易開封切込み２２を長手方向の一定間隔ごとに複数有する包装用フイルム２０である。
【０１２７】
図９（ｃ）に示されるのは、幅方向の一端部から他方の端部まで連続する文字を構成する易開封切込み２２を長手方向の一定間隔ごとに複数有する包装用フイルム２０である。
【０１２８】
図９（ｄ）に示されるのは、幅方向の一端部から他方の端部まで連続する一定幅の帯状の範囲内に分布する多数の線状の易開封切込み２２を長手方向の一定間隔ごとに複数有する包装用フイルム２０である。
【０１２９】
図９（ｅ）に示されるのは、幅方向の一端部から他方の端部まで連続する矢羽形状を構成する易開封切込み２２を長手方向の一定間隔ごとに複数有する包装用フイルム２０である。
【０１３０】
図９（ｆ）に示されるのは、幅方向の一端部から他方の端部まで、４つの円を十字形に組み合わせた形状が連続する易開封切込み２２を長手方向の一定間隔ごとに複数有する包装用フイルム２０である。
【０１３１】
図１０（ａ）に示されるのは、長手方向に連続する直線状の易開封切込み２２を有する包装用フイルム２０である。
【０１３２】
図１０（ｂ）に示されるのは、長手方向に連続するミシン目状の易開封切込み２２を有する包装用フイルム２０である。
【０１３３】
図１０（ｃ）に示されるのは、長手方向に連続する文字を構成する易開封切込み２２を有する包装用フイルム２０である。
【０１３４】
図１０（ｄ）に示されるのは、長手方向に連続する一定幅の帯状の範囲内に分布する多数の線状の易開封切込み２２を有する包装用フイルム２０である。
【０１３５】
図１０（ｅ）に示されるのは、長手方向に連続する矢羽形状を構成する易開封切込み２２を有する包装用フイルム２０である。
【０１３６】
図１０（ｆ）に示されるのは、長手方向に、４つの円を十字形に組み合わせた形状が連続する易開封切込み２２を有する包装用フイルム２０である。
【０１３７】
以上の図９（ａ）〜（ｂ）および図１０（ａ）〜（ｂ）に示される包装用フイルム２０のいずれかを用いれば、ガスバリア性等の基材２０Ａの性能を保ちながらも、易開封切込み２２に沿って容易に開封することができる包装袋を製造することができる。
【０１３８】
さらに、基材２０Ａの強度は十分に確保されているため、製袋作業や、内容物の充填作業のときに、包装用フイルム２０が不用意に引き裂かれてしまうようなことはない。
【０１３９】
また、図９（ｃ）または図１０（ｃ）に示される包装用フイルム２０では、易開封切込み２２を、例えば、メーカー名や商品名を構成する文字が連続するものとすることができる。
【０１４０】
このような、メーカー名や商品名を構成する文字が連続する易開封切込み２２は、包装袋の開封という機能に加えて、商標的機能を有するため、商品および包装袋の魅力や価値を高めることができる。
【０１４１】
また、図９（ｃ）または図１０（ｃ）に示される包装用フイルム２０では、易開封切込み２２が、包装袋の開封という機能に加えて、装飾的機能を有するため、商品および包装袋の魅力や価値を高めることができる。
【０１４２】
次に、本実施例１に係るフイルムの切込加工装置１００によって製造された易開封切込み２２を有する包装用フイルム２０を用いて製造された、包装袋３０について説明する。
【０１４３】
図１１（ａ）〜（ｄ）は、本実施例１に係るフイルムの切込加工装置１００によって製造された易開封切込み２２を有する包装用フイルム２０を用いて製造された、包装袋３０の例を示す正面図である。
【０１４４】
図１１（ａ）〜（ｄ）に示される包装袋３０に用いられる包装用フイルム２０は、いずれも基材２０Ａおよびシーラント２０Ｂが積層されたラミネートフイルムであり、基材２０Ａに形成された易開封切込み２２は、いずれも基材２０Ａの性能を損わない深さ（基材２０Ａの厚さの約半分の深さ）の切込みである。
【０１４５】
このうち、図１１（ａ）および（ｂ）に示されるのは、右端部、上端部および下端部に融着された融着部３２を有する３方シール型の包装袋３０であり、図１１（ｃ）および（ｄ）に示されるのは、合掌型に閉じた中央手前、上端部および下端部に融着部３２を有するピロー型の包装袋３０である。
【０１４６】
図１１（ａ）に示されるのは、左端部から右端部まで連続する文字を構成する易開封切込み２２を有する３方シール型の包装袋３０である。この包装袋３０は、ガスバリア性等の基材２０Ａの性能を保ちながらも、易開封切込み２２に沿って容易に開封される。さらに、易開封切込み２２の商標的機能によって、商品および包装袋３０の魅力や価値が高められている。
【０１４７】
図１１（ｂ）に示されるのは、左右両端部において一定幅の帯状の範囲内に分布する多数の線状の易開封切込み２２を有する３方シール型の包装袋３０である。この包装袋３０は、ガスバリア性等の基材２０Ａの性能を保ちながらも、易開封切込み２２を起点として、左右両端部のどこからでも容易に開封される。
【０１４８】
図１１（ｃ）に示されるのは、左端部から右端部まで連続するミシン目状の易開封切込み２２を有するピロー型の包装袋３０である。この包装袋３０は、ガスバリア性等の基材２０Ａの性能を保ちながらも、易開封切込み２２に沿って容易に開封される。
【０１４９】
図１１（ｄ）に示されるのは、上端部から下端部まで、４つの円を十字形に組み合わせた形状が連続する易開封切込み２２を有するピロー型の包装袋３０である。この包装袋３０は、ガスバリア性等の基材２０Ａの性能を保ちながらも、易開封切込み２２に沿って容易に開封される。さらに、易開封切込み２２の装飾的機能によって、商品および包装袋３０の魅力や価値が高められている。
【０１５０】
以上の、図１１（ａ）〜（ｄ）に示される包装袋３０は、開封の起点が融着部３２に限定されることがなく、易開封切込み２２が形成されている部分であれば、どこを起点にしても開封することができる。このため、内容物に応じて、適宜に易開封切込み２２の位置や方向を設定することで、容易に開封されて、容易に内容物を取り出すことができる包装袋３０とすることができる。
【０１５１】
次に、本実施例１に係るフイルムの切込加工装置１００によって製造された易開封切込み２２を有する包装用フイルム２０を用いて製造された、おにぎりの包装袋４０について説明する。
【０１５２】
図１２（ａ）および（ｂ）は、本実施例１に係るフイルムの切込加工装置１００によって製造された易開封切込み２２を有する包装用フイルム２０を用いて製造された、おにぎりの包装袋４０の例を示す正面図および背面図である。
【０１５３】
おにぎりの包装袋４０に使用される包装用フイルム２０は、基材２０Ａおよびシーラント２０Ｂが積層された略長方形状のラミネートフイルムであり、基材２０Ａの上端中央部から下端中央部まで連続する矢羽形状を構成するミシン目状の易開封切込み２２が形成されている。この易開封切込み２２は、いずれも基材２０Ａの性能を損わない深さ（基材２０Ａの厚さの約半分の深さ）の切込みである。
【０１５４】
さらに、包装用フイルム２０のシーラント２０Ｂ側の面には、左右２つに分割されたフイルムが、端部を融着されて積層されている。そして、包装用フイルム２０とこの左右２つに分割されたフイルムの間には海苔が収容されている。
【０１５５】
そして、間に海苔を収容して積層された包装用フイルム２０と２枚のフイルムは、おにぎりの正面から、左斜面、右斜面および底面に沿って後方に折り曲げられ、折り曲げられた先端部をおにぎりの背面上でシール４４により固定されることで、おにぎりの包装袋４０を形成する。このとき、矢羽形状を構成する易開封切込み２２は、包装体上端部の三角形の頂点から正面の中央部および底面の中央部を通り、背面で固定されている端部まで連続している。
【０１５６】
このおにぎりの包装袋４０は、底面の左右両端部に形成されるフラップ状部分４２をつまんで左右に引っ張られることにより、矢羽形状を構成する易開封切込み２２に沿って容易に引き裂かれて二つに分割される。そして、そのまま左右に引っ張られることで、おにぎりの包装袋４０は、おにぎりおよび海苔から容易に引き剥がされる。
【０１５７】
すなわち、おにぎりの包装袋４０は、単に左右に引っ張るだけで開封することができ、従来のおにぎりの包装体よりもはるかに容易に開封することができる。
【０１５８】
しかも、開封を容易としながらも、包装用フイルム２０の基材２０Ａの性能は確保されているため、運搬時に誤っておにぎりの包装体が破れたり、包装されたおにぎりや海苔の鮮度が損われたりということはない。
【０１５９】
なお、本発明に係る包装用フイルムの切込加工装置、易開封切込みを有する包装用フイルムおよび包装袋、ならびに切込みを有する包装用フイルムの製造方法は、上記した実施の形態に限定されるものではなく、本発明の要旨を逸脱しない範囲内において種々変更を加え得ることは勿論である。
【０１６０】
例えば、本実施例１に係るフイルムの切込加工装置１００において、加工ロール１１０および指示ロール１２０が配設される場所は、図１に示されるような刃物１２の上流側近傍に限定されるものではなく、刃物１２の上流側の、より離れた場所に配設してもよいし、刃物１２の下流側に配設してもよい。
【０１６１】
また、加工ロール１１０、支持ロール１２０および押圧手段１３０の配置は、図２（ａ）および（ｂ）に限定されるものではなく、例えば、加工ロール１１０および押圧手段１３０が、支持ロール１２０の下方に配置されてもよい。
【０１６２】
また、押圧手段１３０は、例えば、エアシリンダや油圧シリンダ等であってもよい。
【０１６３】
また、切込み加工手段２００は、本実施例１に示される構造に限定されるものではなく、例えば、ブロック状の部材の表面に切込刃２１０が形成されるものであってもよい。
【０１６４】
また、本実施例１に係るフイルムの切込加工装置１００によって製造された、易開封切込み２２を有する包装用フイルム２０の易開封切込み２２は、図９（ａ）〜（ｆ）または図１０（ａ）〜（ｆ）に示される構造に限定されるものではなく、例えば、幅方向に対して斜めに連続するものであってもよいし、フイルム内の一部において連続するものであってもよい。さらに、易開封切込み２２は、図９（ａ）〜（ｆ）または図１０（ａ）〜（ｆ）に示されるもの以外の様々な形状や模様を構成するものであってもよい。
【０１６５】
また、本実施例１に係るフイルムの切込加工装置１００によって製造された易開封切込み２２を有する包装用フイルム２０を用いて製造された、包装袋３０は、図１１（ａ）〜（ｄ）に示される構造に限定されるものではなく、例えば４方シール型であってもよいし、スタンディングタイプであってもよい。
【０１６６】
また、本実施例１に係るフイルムの切込加工装置１００によって製造された易開封切込み２２を有する包装用フイルム２０を用いて製造された、おにぎりの包装袋４０は、図１２（ａ）および（ｂ）に示される構造に限定されるものではなく、例えば、円柱形状のおにぎりを包装するものであってもよい。
【産業上の利用可能性】
【０１６７】
本発明に係るフイルムの切込加工装置および切込加工方法、易開封性包装用フイルムならびに易開封性包装袋は、包装の分野で特に利用することができる。
【図面の簡単な説明】
【０１６８】
【図１】（ａ）および（ｂ）本発明の実施例１に係るフイルムの切込加工装置１００の全体を示す概略図である。
【図２】本実施例１に係る加工ロール１１０、支持ロール１２０および押圧手段１３０の周辺を示す正面図（ａ）および側面図（ｂ）である。
【図３】（ａ）〜（ｄ）本実施例１に係る切込み加工手段２００の加工ロール１１０への取り付け方の例を示す概略図である。
【図４】本実施例１に係る切込み加工手段２００の一部を拡大した例を示す、断面図（ａ）および平面図（ｂ）である。
【図５】（ａ）〜（ｆ）本実施例１に係るフイルムの切込加工装置１００において使用される切込み加工手段２００の切込刃２１０の形状の例を示すものである。
【図６】（ａ）〜（ｄ）本実施例１に係る加工ロール１１０の胴部１１２の外周面に取り付けられた切込み加工手段２００の切込刃２１０が、包装用フイルム２０に切込みを加工する様子を模式的に示した概略図である。
【図７】（ａ）および（ｂ）本実施例１に係る切込み加工手段２００の切込刃２１０の刃先部２１４が、包装用フイルム２０に最も深く押し込まれた状態を拡大した断面図である。
【図８】本実施例１に係るフイルムの切込加工装置１００によって、易開封切込み２２を加工された包装用フイルム２０の一例を示す断面図である。
【図９】（ａ）〜（ｆ）本実施例１に係るフイルムの切込加工装置１００によって製造された、易開封切込み２２を有する包装用フイルム２０の例を示す平面図である。
【図１０】（ａ）〜（ｆ）本実施例１に係るフイルムの切込加工装置１００によって製造された、易開封切込み２２を有する包装用フイルム２０の例を示す平面図である。
【図１１】（ａ）〜（ｄ）本実施例１に係るフイルムの切込加工装置１００によって製造された、易開封切込み２２を有する包装用フイルム２０を用いて製造された包装袋３０の例を示す正面図である。
【図１２】本実施例１に係るフイルムの切込加工装置１００によって製造された、易開封切込み２２を有する包装用フイルム２０をおにぎりの包装袋４０に適用した例を示す正面図（ａ）および背面図（ｂ）である。
【符号の説明】
【０１６９】
１０・・・スリッタ
２０・・・包装用フイルム
２０Ａ・・・基材
２０Ｂ・・・シーラント
２２・・・易開封切込み
３０・・・包装袋
４０・・・おにぎりの包装袋
１００・・・包装用フイルムの切込加工装置
１１０・・・加工ロール
１１２・・・胴部
１１２Ａ・・・取付溝
１１４・・・当接部
１２０・・・支持ロール
２００・・・切込加工手段
２１０・・・切込刃
２１２・・・基部
２１４・・・刃先部
【図１】
2008100303.tif 000003
【図２】
2008100303.tif 000004
【図３】
2008100303.tif 000005
【図４】
2008100303.tif 000006
【図５】
2008100303.tif 000007
【図６】
2008100303.tif 000008
【図７】
2008100303.tif 000009
【図８】
2008100303.tif 000010
【図９】
2008100303.tif 000011
【図１０】
2008100303.tif 000012
【図１１】
2008100303.tif 000013
【図１２】
2008100303.tif 000014